【手続補正書】
【提出日】平成28年11月25日(2016.11.25)
【手続補正１】
【補正対象書類名】明細書
【補正対象項目名】０２１７
【補正方法】変更
【補正の内容】
【０２１７】
さらに、用語「第１」「第２」、「第３」などが、明細書または特許請求の範囲の何れで使用されるかを問わず、同様の要素を区別するために用いられているものであり、これらは、必ずしも連続でありまたは時間の順を記述するために設けられているものではない。
これは、そのように使用される用語は（明確にそうでないと開示されている場合を除き）、適切な状況下で交換可能であること、及び本明細書に記載の開示の実施形態は、他の順序および／または本明細書に記載または例示されていると異なる配置で操作が可能であるということが理解される。
本発明の第１の態様は、
電子患者ケアのためのシステムであって、
ネットワーク、
アプリケーション用の出版購読型（ｐｕｂｌｉｓｈ−ｓｕｂｓｃｒｉｂｅ）サービスを提供する様に構成されているファシリティゲートウェイ、
ファシリティゲートウェイにより実行されるように構成されるデバイスゲートウェイアプリケーションを備え、前記デバイスゲートウェイは、ウエブサービスを提供することによりネットワークを介して通信する様に構成されている、及び
ネットワークと動作可能に通信することができる医療デバイスを備え、前記医療デバイスは、ウェブサービスを用いてデバイスゲートウェイと通信する様に構成されている、
電子患者ケアのためのシステムである。
本発明の第２の態様は、
第１の態様のシステムであって、さらに、出版購読型サービスを提供するように構成された
出版購読型エンジンを含む、前記システムである。
本発明の第３の態様は、
第１の態様のシステムであって、前記ネットワークは、ＴＣＰ／  ＩＰベースのネットワークである、前記システムである。
本発明の第４の態様は、
第１の態様のシステムであって、デバイスゲートウェイアプリケーションは、ウェブサービスのウェブサーバーであり、医療デバイスはウェブサービスのクライアントである、前記システムである。
本発明の第５の態様は、
第１の態様のシステムであって、デバイスゲートウェイアプリケーションは、出版購読型サービスを用いてトピックを記録する様に構成されている、前記システムである。
本発明の第６の態様は、
第５の態様のシステムであって、さらにファシリティゲートウェイにより実行されるように構成された統合ＡＰＩを備え、前記統合ＡＰＩはトピックに登録申込みして、そのトピックに登録申込みをすることにより受領したイベントを、少なくとも１つの外部サーバーに通信するように構成される、前記システムである。
本発明の第７の態様は、
第６の態様のシステムであって、前記トピックは、報告可能な生物医学（ｂｉｏｍｅｄ）イベントトピック及び報告可能な臨床イベントトピックの少なくとも一つである、前記システムである。
本発明の第８の態様は、
第５の態様のシステムであって、前記トピックは、報告可能な生物医学イベントトピックであり、前記デバイスゲートウェイは、ウェブサービスを介して受領した医療デバイスイベントを、出版購読型エンジンを介してトピックの登録申込者（ｓｕｂｓｃｒｉｂｅｒ）が受領可能な、報告可能な生物医学イベントに再フォーマットする、前記システムである。
本発明の第９の態様は、
第８の態様のシステムであって、前記医療デバイスは、ウェブサービスを用いて、ネットワークを介して医療デバイスイベントを通信する、前記システムである。
本発明の第１０の態様は、
第５の態様のシステムであって、前記トピックは、報告可能な臨床イベントトピックであり、前記デバイスゲートウェイは、ウェブサービスを介して受領した医療デバイスイベントを、出版購読型エンジンを介して、トピックの登録申込者により受領可能な、報告可能な臨床イベントに再フォーマットする、前記システムである。
本発明の第１１の態様は、
第１０の態様のシステムであって、前記医療デバイスはウェブサービスを用いてネットワークを介して医療デバイスイベントを通信する、前記システムである。
本発明の第１２の態様は、
第５の態様のシステムであって、前記トピックは少なくとも一つのクラスのポンプ・イベントに対応する、前記システムである。
本発明の第１３の態様は、
第１２の態様のシステムであって、少なくとも一つのクラスのポンプ・イベントは、警報、警告または通知に関する輸液イベント（ｉｎｆｕｓｉｏｎ  ｅｖｅｎｔ）、輸液に関する輸液イベント、プログラミングに関する輸液イベント、通信に関するデバイスイベント（ｄｅｖｉｃｅ  ｅｖｅｎｔ）、アクセス要求に関するデバイスイベント、設定の更新に関するデバイスイベント、ロギング（ｌｏｇｇｉｎｇ）に関するデバイスイベント、及び／又は電力消費に関するデバイスイベントの少なくとも一つを含む、前記システムである。
本発明の第１４の態様は、
第１の態様のシステムであって、さらに、ファシリティゲートウェイにより実行するために構成される継続的な品質改善指向リスナーを含み、
前記継続的な品質改善指向リスナーは、報告可能な生物医学イベントのトピック及び報告可能な臨床イベントのトピックに登録申込みをし、
前記継続的な品質改善指向は、報告可能な生物医学イベントトピックへ登録申込みをすることにより受領される報告可能な生物医学イベントを外部データベースに通信する様に構成され、及び
前記継続的な品質改善指向は、報告可能な臨床イベントトピックへ登録申込みをすることにより受領される報告可能な臨床イベントを外部データベースに通信する様に構成される、
前記システムである。
本発明の第１５の態様は、
第１４の態様のシステムであって、前記外部データベースは、報告可能な生物医学イベント及び報告可能な臨床イベントの少なくとも一つを記録する、前記システムである。
本発明の第１６の態様は、
第１の態様のシステムであって、さらに前記ファシリティゲートウェイ上で実行可能なデバイスマネージャを含み、前記デバイスマネージャは、前記医療デバイスを含む医療デバイスのリストを保持することを含む様に構成される、前記システムである。
本発明の第１７の態様は、
第１６の態様のシステムであって、前記医療デバイスのリストは、医療デバイスのリストに対応する通し番号のリストを含む、前記システムである。
本発明の第１８の態様は、
第１の態様のシステムであって、さらに、そこからステータス情報を受領するためにネットワークを介して医療デバイスと動作可能に通信する監視クライアントを含む、前記システムである。
本発明の第１９の態様は、
医療デバイスであって、
ネットワーク、
プロセッサ、
プロセッサと動作可能に通信が可能であり、ネットワークを介して通信するように構成されているトランシーバ、および
プロセッサ上で実行可能であり、トランシーバを介して動作可能に通信することができるように構成されているデバイスゲートウェイ通信マネージャを備え、前記デバイスゲートウェイ通信マネージャは、ネットワーク上のウェブメソッドを使用してデバイスイベントを伝達するように構成されている、前記医療デバイスである。
本発明の第２０の態様は、
前記ネットワークはＷｉＦｉネットワークである、第１９の態様のデバイスである。
本発明の第２１の態様は、
前記トランシーバはＷｉＦｉトランシーバである、第１９の態様のデバイスである。
本発明の第２２の態様は、
前記デバイスのみがウェブメソッドを使用して通信を開始するように構成されている、第１９の態様のデバイスである。
本発明の第２３の態様は、
前記デバイスは、ネットワークを介して監視デバイスにデータを送信するように構成されている、第１９の態様のデバイスである。
本発明の第２４の態様は、
電子患者ケアのためのシステムであって、
ネットワーク、
出版購読型（ｐｕｂｌｉｓｈ−ｓｕｂｓｃｒｉｂｅ）サービスを提供する様に構成されているファシリティゲートウェイ、
ファシリティゲートウェイにより実行されるように構成されたデバイスゲートウェイアプリケーションを備え、そして前記デバイスゲートウェイは、ウェブサービスを提供することによりネットワークを介して通信する様に構成されており、前記デバイスゲートウェイは医療デバイスイベントトピックを発行し、
ファシリティゲートウェイ上で実行する様に構成されており、医療デバイスイベントトピックに登録申込みするように構成されたデバイスアプリケーションを備え、前記デバイスアプリケーションは、ＣＱＩメッセージトピックを発行し、前記デバイスアプリケーションは、医療デバイスイベントトピックに登録申込みすることによりイベントを受信し、そしてＣＱＩメッセージトピックを通して、イベントをＣＱＩメッセージとして発行するように構成され、及び
ネットワークと動作可能に通信する医療デバイスを備え、前記医療デバイスは、ウェブサービスを用いてデバイスゲートウェイと通信し、ウェブサービスのウェブメソッドを用いてイベントを生成する様に構成されている、電子患者ケアのためのシステムである。
本発明の第２５の態様は、
第２４の態様のシステムであって、前記デバイス・ゲートウェイは、ＣＱＩメッセージを受領するためにＣＱＩメッセージトピックに登録申込みをする、前記システムである。
本発明の第２６の態様は、
第２５の態様のシステムであって、さらに前記ファシリティゲートウェイにより実行するように構成されるＣＱＩリスナーを含み、前記  ＣＱＩリスナーは、ＣＱＩメッセージを受領するためにＣＱＩメッセージのトピックに登録申込みする、前記システムである。
本発明の第２７の態様は、
第２６の態様のシステムであって、前記ＣＱＩリスナーは前記ＣＱＩメッセージを外部データベースに通信する、前記システムである。
本発明の第２８の態様は、
第２４の態様のシステムであって、前記ＣＱＩメッセージは、報告可能な生物医学イベントおよび報告可能な臨床イベントの一つである、前記システムである。
本発明の第２９の態様は、
さらに、医療デバイスと動作可能に通信するように構成された監視クライアントを含む、
第２４の態様のシステムである。
本発明の第３０の態様は、
第２９の態様のシステムであって、前記監視クライアントは、ＣＱＩメッセージトピックに登録申込みすることにより前記医療デバイスと通信する、前記システムである。
本発明の第３１の態様は、
電子患者ケアのためのシステムであって、
薬剤代謝の情報を含む患者に関連した情報を含むサーバ、及び
薬剤代謝情報を用いて、患者に関連する各情報に基づいて、患者への薬剤の流れを調整するように構成されたポンプを備え、前記ポンプは、前記サーバから患者関連情報を受領する、前記システムである。
本発明の第３２の態様は、
電子患者ケアのためのシステムに関し、記述され、参照され、例示で示され、または本明細書、特許請求の範囲、図面に示された全ての新規な特徴である。